【事件の表示】
　平成９年特許願第２９９７５６号「タイマ装置」拒絶査定不服審判事件〔平成１１年５月２１日出願公開、特開平１１−１３４９９１号〕について、次のとおり審決する。
【結論】
　本件審判の請求は、成り立たない。
【理由】
第１　手続の経緯
　１．特許出願：平成９年１０月３１日
　２．拒絶理由の通知：平成１５年１２月２２日（発送：平成１６年１月６日）
　３．意見書、手続補正書の提出：平成１６年３月５日
　４．拒絶理由（最後）の通知：平成１６年１０月４日
　　　（発送：平成１６年１０月１２日）
　５．意見書、手続補正書の提出：平成１６年１２月８日
　６．上記５．の手続補正書による補正に対して、補正の却下の決定：
　　　平成１７年３月２５日（発送：平成１７年４月５日）
　７．拒絶査定：平成１７年３月２５日（発送：平成１７年４月５日）
　８．審判請求書の提出：平成１７年４月２８日
　　　（方式補正：平成１７年５月３０日）
　９．手続補正書（明細書）の提出：平成１７年５月３０日
第２　平成１７年５月３０日付け手続補正についての補正却下の決定
　【補正却下の決定の結論】
　平成１７年５月３０日付けの明細書を補正対象とする手続補正（以下、「本件補正」という。）を却下する。
　【理由】
　１．補正の内容
　本件補正の内容は、上記第１、７の拒絶査定時の明細書（以下、「原明細書」という。）の記載を、上記第１、９の手続補正書（以下、「本件手続補正書」という。）のとおりに補正することを求めるものであって、特に特許請求の範囲の請求項１は、次のように補正されている。
「【請求項１】
　上端が開放されるとともに底面に電線挿入孔を備えた箱状のボディおよびボディの開放端に覆合
されるとともに、フラッシュプレートの窓孔から露出するための突出した部分であり、内部が中空のボス部を備えた
　ケースの上面に配設され、複数のタイマ動作時間から任意のタイマ動作時間を選択する第１操作部と；
　ケースの上面に配設され、タイマ動作を開始させる第２操作部と；
　ボディに装着された第１の配線基板、第１の配線基板の下面に実装された主としてパワー系回路素子などおよびケースの電線挿入孔に対向する端子金具を含む負荷回路用電子スイッチ回路と；
　
カバーのボス部内に
た状態であって、カバーの前面側と間隔を有するように固定されて
を具備していることを特徴とするタイマ装置。」
　なお、下線は補正箇所を明確にするため、当審で付加したものである。
　２．補正の目的の適否について
　本件補正は、拒絶査定に対する審判を請求する場合において、その審判の請求から３０日以内になされたものであり、特に特許請求の範囲の請求項１に係る補正について、その目的の適否を検討する。
　原明細書の特許請求の範囲の請求項１（以下、「補正前請求項１」という。）の記載と補正後の明細書における特許請求の範囲の請求項１（以下、「補正後請求項１」という。）の記載とを対比すると、補正後請求項１は、補正前請求項１に記載された発明を特定する事項をすべて含んでおり、さらに補正後請求項１には、「（ケースの）カバー」が「フラッシュプレートの窓孔から露出するための突出した部分であり、内部が中空のボス部」を備えている点、及びこの「ボス部」内に「第２の配線基板」が「第１の配線基板の上方に離間した状態であって、カバーの前面側と間隔を有するように固定されて配置」されている点が、発明を特定する事項として付加されている。
　これらの補正は、出願当初の明細書又は図面からみて、新規事項を追加するものではなく、しかも、補正前請求項１に記載された発明を特定する事項について、さらに限定を付加するものであり、かつ補正前請求項１に記載される発明と補正後請求項１に記載される発明の産業上の利用分野及び解決しようとする課題が同一であるから、特許法第１７条の２第４項第２号に規定された特許請求の範囲の減縮を目的とするものに該当する。
　そこで、本願の補正後請求項１に係る発明（以下、「本願補正発明」という。）が、特許出願の際独立して特許を受けることができるものであるのかどうか（すなわち、特許法第１７条の２第５項において準用する同法第１２６条第５項の規定に適合するものであるのかどうか）について、次に検討する。
　３．本願補正発明の独立特許要件について
　（１）本願補正発明
　本願補正発明は、上記した補正後の請求項１に記載された事項により特定されるとおりのものと認める。
　（２）引用文献
　（２−１）引用文献１
　原査定の拒絶の理由に引用された特開平７−２９６６９４号公報（以下、「引用文献１」という。）には、図面とともに次のように記載されている。
　（ａ）「【００１５】
　【実施例】
（実施例１）本実施例では、負荷としての換気扇ともに照明負荷も接続できるようにした電子スイッチを例示する。図１に示すように、外部回路を接続する端子としては、商用電源の一端に接続される電源端子Ｔ１と、換気扇の一端に接続される制御端子Ｔ２と、照明負荷の一端に接続される照明端子Ｔ３との３端子を備えている。電源端子Ｔ１と制御端子Ｔ２との間には、コンデンサＣ１とインダクタＬ１とからなるノイズフィルタを介してスイッチ素子としてのトライアックＱ１が挿入され、トライアックＱ１が導通すると電源から換気扇に給電されるようにしてある。・・・・・
　【００１８】ダイオードブリッジＤＢの直流側端子間には一対の抵抗Ｒ４，Ｒ５を直列接続した分圧回路が接続され、ダイオードブリッジＤＢの直流出力電圧を分圧回路で分圧した交流電圧波形を制御回路１で監視することにより商用電源のゼロクロス点が検出される。制御回路１は専用のマイクロコンピュータよりなり、分圧回路を構成する抵抗Ｒ４，Ｒ５の接続点が５番端子に接続される。制御回路１では内部のゼロクロス検出部でほぼ０Ｖに設定した閾値電圧と５番端子への入力電圧とを比較することによって、商用電源のゼロクロス点を検出するのである。また、制御回路１ではゼロクロス点を検出すると、内部に設けた通電制御部を介して２５番端子の出力をＬレベルから一定時間（ここでは、２ｍｓｅｃに設定してある）だけＨレベルに立ち上げ、この一定時間だけ上述したトランジスタＱ２をオフにする。トランジスタＱ２のエミッタ−コレクタ間には抵抗Ｒ３を介してフォトカプラＰＣの発光ダイオードＰＥが直列接続され、この直列回路は電源回路２の出力端間に接続されているから、トランジスタＱ２がオフであると発光ダイオードＰＥは消灯し、したがってフォトトライアックＰＴがオフであるから、トライアックＱ１にはゲード電流が流れないのであって、トライアックＱ１は商用電源のゼロクロス点から上記一定時間はオフに保たれる。しかるに、このオフ期間を給電期間として商用電源から電源回路２に給電するのである。
・・・・・
　【００２０】換気扇のオン・オフは、制御回路１の８番端子と９番端子とにそれぞれ接続された連続動作スイッチＳＷ１とタイマ動作スイッチＳＷ２との２つの操作スイッチにより操作される。連続動作スイッチＳＷ１およびタイマ動作スイッチＳＷ２は、ストロークの小さい小型押釦スイッチであるタクトスイッチよりなり、連続動作スイッチＳＷ１を１回押操作すると、制御回路１の内部の連続制御部が作動し、次にオフの指示がなされるまでの間、トライアックＱ１は上述した半サイクル毎のオン・オフを繰り返すことになる。また、タイマ動作スイッチＳＷ２を１回押操作すると、制御回路１の内部のタイマ制御部が作動し、６番端子に接続されている可変抵抗器ＶＲ１によって設定した動作時間にのみトライアックＱ１が上述した半サイクル毎のオン・オフを繰り返し、動作時間の経過後にはトライアックＱ１をオフに保つようになっている。・・・・・
　【００２２】さらに、制御回路１には、内部クロック信号を発生させるための水晶振動子やセラミック振動子などの発振用振動子Ｘ、および電源投入時に電源回路２の出力により制御回路１をリセットするリセット回路Ｙが接続される。
・・・・・
　【００２４】・・・・・また、可変抵抗器ＶＲ１は操作つまみ１２が器体１０の前面上部に露出し、さらに連続動作スイッチＳＷ１、タイマ動作スイッチＳＷ２、照明用スイッチＳＷ４の操作部にそれぞれ対応するスイッチハンドル１３１，１３２，１３４が器体１０の前面に設けられている。
・・・・・
　【００２６】ところで、器体１０は、図２に示すように、前面開口したボディ１６と、ボディ１６の前面側に結合される後面開口したカバー１７とを互いに係合させたものであって、ＪＩＳ規格等により規格化されている大角形３個用の取付枠に３個まで取着される単位寸法の配線器具の３個分の寸法に相当する寸法に形成される。・・・・・」（段落【００１５】〜【００２６】）
　（ｂ）「【００３４】ところで、上述した回路部は、図７ないし図１０に示すように２枚のプリント配線板６１，６２に分割して実装される。各プリント配線板６１，６２は両面配線基板であって、図１２に示すように、それぞれボディ１６とカバー１７とに分割して納装され、それぞれ固定ねじ６３を用いてボディ１６およびカバー１７に固定される。また、両プリント配線板６１，６２の間の電気的接続には、両端部を合成樹脂の支持体６４で結束した複数本のジョイント線６５が用いられる。このジョイント線６５は、図１１に示すように、一方の端部を表面側に折り返して略９０度に交差させ、他方の端部を裏面側に折り返して略９０度に交差させることによって、もっとも内側のジョイント線６５が残りのジョイント線６５の外側を囲むようにしてある。各ジョイント線６５は単線であって、ジョイント線６５の各端部では支持体６４よりも先端側で導電部が露出するから、導電部の露出部位を各プリント配線板６１，６２に挿通して半田付けすることにより、両プリント配線板６１，６２の間での電気的接続がなされるのである。
　一方のプリント配線板６１においてボディ１６の後壁との対向面には、、図１３のように、電源端子Ｔ１、強制御端子Ｔ２１、弱制御端子Ｔ２２、照明用端子Ｔ３である速結端子７０が実装される。速結端子７０は、プリント配線板６１に半田により実装された断面略コ形の端子板７１と、端子板７１の中に配置されコ字の一方の脚片との間に電線を挟持する鎖錠ばね７２と、端子板７１と鎖錠ばね７２との間に挟持された電線を引き抜く際に鎖錠ばね７２を撓ませる解除釦７３とからなる周知の構成を有している。鎖錠ばね７２は、ばね材料の帯板の長手方向の一端部をＪ字状に曲成して鎖錠片７２ａを形成し、他端部をＳ字状に曲成して接触片７２ｂを形成したものであって、端子板７１との間に鎖錠片７２ａ側から電線を導入すると、接触片７２ｂと端子板７１との間に電線が挟まれて電気的接触が確保され、かつ鎖錠片７２ａの先端縁が電線に食い込むことによって電線が抜けないように保持されるのである。解除釦７３は、鎖錠片７２ａの一部に対向し、解除釦７３に対して押力を作用させると、解除片７２ａが端子板７１から離れる向きに撓んで電線を引き抜くことができるのである。ここに、ボディ１６の後壁には、端子板７１と鎖錠ばね７２との間に電線を導入するための電線挿入孔７４（図６参照）が穿孔され、また解除釦７３に対応する部位にはマイナスドライバの先端部などで解除釦７３に押力を作用させることができるように釦操作孔７５（図６参照）が穿設されている。この速結端子７０は、図１４に示すように、ボディ１６に形成された端子収納室１９に納装されるのであって、この状態でプリント配線板６１をボディ１６に固定し、速結端子７０をプリント配線板６１に実装すればよい。」（段落：【００３４】）
　（ｃ）特に【図７】を参酌すると、トライアック（Ｑ１１、Ｑ１２）が第１のプリント配線板（６１）の上面に実装されていること、及びタイマ動作スイッチ（ＳＷ２）が第２のプリント配線板（６２）の上面に実装されていることが確認できる。
　（ｄ）特に上記記載事項（ａ）の段落【００２４】における「・・・また、可変抵抗器ＶＲ１は操作つまみ１２が器体１０の前面上部に露出し」なる記載及び【図２】、【図４】、【図７】を参酌すれば、可変抵抗器（ＶＲ１）は、その直線的な変位がカバー（１７）の幅方向と平行になるように第１のプリント配線板（６１）の幅方向の一側部（【図７】における上方側部）に配置されており、その操作つまみ（１２）が器体の上面に配設されていることが確認できる。
　上記の記載において、タイマ装置の操作部側を上側としたとき、「前方」は「上方」ということができ、同様に、「前面」は「上面」と、「後面」は「下面」、そして、「後壁」は「底面」ということができる。
　したがって、上記の各記載事項及び図面の記載を総合すると、引用文献１には、次のような発明（以下、「引用発明１」という。）が記載されているものと認められる。
「上面が開口しているとともに、底面に電線挿入孔（７４）を備えた箱状のボディ（１６）及びボディ（１６）の上面開口に係合されるカバー（１７）からなり、外形寸法が規格化された単位寸法の配線器具の３個分に相当する取付枠に取り付けられる器体（１０）と；
　器体（１０）の上面に配設され、複数のタイマ動作時間から任意のタイマ動作時間を選択する操作つまみ（１２）と；
　器体（１０）の上面に配設され、タイマ動作を開始させるスイッチハンドル（１３２）と；
　ボディ（１６）に装着された第１のプリント配線板（６１）、第１のプリント配線板（６１）の上面に実装されたトライアック（Ｑ１１、Ｑ１２）及び操作つまみ（１２）に連動する可変抵抗器（ＶＲ１）並びに下面に実装された器体（１０）の電線挿入孔（７４）に対向する速結端子（７０）などを含み、かつ、可変抵抗器（ＶＲ１）はその直線的な変位がカバー（１７）の幅方向と平行になるように配置された換気扇用電子スイッチ回路と；
　カバー（１７）に固定され、第１のプリント配線板（６１）の上方に配置された第２のプリント配線板（６２）、この第２のプリント配線板（６２）の上面に実装されてスイッチハンドル（１３２）に連動するタイマ動作スイッチ（ＳＷ２）、並びに第２のプリント配線板（６２）の下面に実装されて操作つまみ（１２）及びタイマ動作スイッチ（ＳＷ２）に応じて所要のタイマ動作を行う制御回路（１）などを含んで構成されて換気扇用電子スイッチ回路のオン、オフ動作をタイマ制御し、かつ、タイマ動作スイッチ（ＳＷ２）は押し釦スイッチからなるタイマ制御回路と；
を具備しているタイマ装置。」
　（２−２）引用文献２
　同じく原査定の拒絶の理由に引用された実願昭５８−１００７５０号（実開昭６０−９４２５号）のマイクロフィルム（以下、「引用文献２」という。）には、図面とともに次のように記載されている。
　（ａ）「〔考案の概要〕
　本考案の焙焼装置の回路基板は、電源回路を含む高圧回路部と、コンデンサと抵抗とで決められる時定数回路を備えヒータへの通電時間を制御する制御回路を含む低圧回路部とを有する焙焼装置において、前記高圧回路部の部品と低圧回路部の部品とを分割部にて長手方向に２分割可能に形成した１枚の基板に前記分割部を境に区分けして配設し、各回路部毎にプリント配線にて各部品を接続し、かつ、前記両回路部を接続するリード線を前記基板の長手方向両端部間に配設したことを特徴とするものである。」（明細書第３頁８行〜第４頁４行」
　（ｂ）「〔考案の効果〕
　本考案によれば、高圧回路部の部品と、低圧回路部の部品とを区分けして基板に配設したため、高圧回路のプリント配線と低圧回路のプリント配線とが隣接するとにより生じる不必要な絶縁距離を設ける必要がなく、回路基板のプリント配線の効率的な設計、部品の効率的な配設を行なうことができ、回路基板を小形化できる。」（明細書第１７頁３〜１０行）
　したがって、上記の各記載及び図面の記載を総合すると、引用文献２には、次のような発明（以下、「引用発明２」という。）が記載されているものと認められる。
「高圧回路部の部品と低圧回路部の部品とを区分けして基板に配設すること。」
　（２−３）引用文献３
　同じく原査定の拒絶の理由に引用された特開平８−２２７６４４号公報（以下、「引用文献３」という。）には、図面とともに次のように記載されている。
　（ａ）「【０００７】
　【発明の実施の形態】
　以下、本発明の一実施形態を図面を参照しつつ詳しく説明する。図１乃至図８は、この発明にかかるタイマスイッチの一実施形態をあらわしている。これらの図にみるように、このタイマスイッチ１は、上面及び側面に開口部分を有する箱状のボディ２を備え、このボディ２の両端側には端子板１３，１４が配設される端子収納部１３Ａ，１４Ａを、この両収納部１３Ａ，１４Ａ間の器体中央にタイマブロック３を収納するタイマ収納部３Ａを夫々設け、タイマブロック収納部３Ａの深さを端子収納部１３Ａ，１４Ａの深さよりも深くしてある。ボディ２の上面開口部は、ボディカバー４が被着されている。ボディ２とボディカバー４とは、組み立て枠６，６によって組み付けて器体を構成しており、器体の大きさは埋め込み型配線器具の１個用モジュール寸法に対応させている。そして組み立枠６，６には埋め込み配設用に用いる合成樹脂製の取付枠（図示せず）に取り付けるための係止爪６ａや金属製の取付枠（図示せず）に対応した係止凹部６ｂを設けてある。
　【０００８】タイマブロック３は、予めユニット化されたもので、その側部に張り出し部分３ａが形成されていて、この張り出し部分３ａがボディ２の側面開口部２ａに嵌め込まれ、ボディ２の外に露出するようになっている。このタイマブロック３には、図８にみるように、入出力軸１１が設けられている。この入出力軸１１は、タイマブロック３の外枠に設けられた軸受（図示省略）に支持されていて、その一端部１１ａをタイマブロック３外に突出させている。入出力軸１１の一端部１１ａには、軸と直交する方向にピン１２が通されている。前記張り出し部分３ａには、９０分用の大径ぜんまい８がその中心軸８ａを入出力軸１１と直交させるようにして収納されている。ぜんまい８を、このように、その中心軸８ａを入出力軸１１と直交させるようにしてタイマブロック３の側部に配置することにより、タイマブロック３全体を大きくすることなく、長時間設定が可能な大径のぜんまい８を収容することができるようになる。しかも、ボディ２の中央にタイマブロック３、このタイマブロック３の両側に端子部を構成する端子板１３，１４を配設し、タイマブロック３の張り出し部３ａをボディ２の側面開口部２ａにおいて露出させるようにしているため、タイマスイッチ１全体を小型化できるようになり、たとえば、本実施形態のように、９０分タイマで、埋め込み型配線器具の１個用モジュールのものが実現可能になる。・・・・・」（段落【０００７】、【０００８】）
　（ｂ）「【００２０】
　【発明の効果】
　本発明は、一面開口のボディとこのボディの開口面側に被着されるボディカバーとで埋め込み型配線器具の１個用モジュール寸法で形成された器体と、ボディとボディカバーとを組み付ける組み立て枠と、器体の両端に設けられた端子収納部と、該端子収納部間で器体の略中央部に設けられ端子収納部より深いタイマブロック収納部と、取付枠用の係止部とを備え、端子収納部には送り端子付端子部が収納され、タイマブロック収納部には予めユニット化されたタイマブロックが収納されるので、埋め込み型配線器具と同様に造営面に埋め込み配設ができ、しかも一個用モジュール寸法であるため同じ取付枠に他の配線器具と併設することが可能となるもので、その上器体両端の端子収納部、器体中央部のタイマブロック収納部に夫々端子部、予めユニット化されたタイマブロックをボディ開口面側から落とし込み、ボディカバーとボディとを組み立て枠で組み付けるだけで組立ができるため組立性に優れ、そのため量産化が可能であり、更にタイマブロック収納部を深く形成しているため、タイマブロックが大きくても器体全体の大きさを埋め込み型配線器具の１個用モジュール寸法で納めることができるができるという効果がある。」（段落【００２０】）
　（ｃ）特に【図４】、【図５】を参酌すると、タイマブロック（３）は、箱状のボディ（２）とその開放端に被着、すなわち覆合されるボディカバー（４）の内部とで形成される空間に収納されているから、ボディカバー（４）は、内部に中空のボス部を備えているといえる。
　したがって、上記の各記載事項及び図面の記載を総合すると、引用文献３には、次のような発明（以下、「引用発明３」という。）が記載されているものと認められる。
「上端が開放された箱状のボディ（２）及び箱状のボディ（２）の開放端に覆合されるとともに、組み立て枠（６）から露出するための突出した部分であり、内部が中空のボス部を備えたボディカバー（４）からなり、外径寸法が１個用モジュールの寸法で形成された器体において、ボディ（２）のタイマ収容部（３Ａ）とボディカバー（４）のボス部とで形成される空間にタイマブロック（３）を収容したタイマ装置。」
　（３）対比
　（３−１）本願補正発明と引用発明１との対比
　そこで、本願補正発明と引用発明１とを対比すると、その技術的意義や構造等からみて、引用発明１における「器体（１０）」は、本願補正発明における「ケース」に相当し、以下同様に、「操作つまみ（１２）」は「第１操作部」に、「スイッチハンドル（１３２）」は「第２操作部」に、「第１のプリント配線板（６１）」は「第１の配線基板」に、「トライアック（Ｑ１１、Ｑ１２）」は「パワー系回路素子など」に、「速結端子（７０）」は「端子金具」に、「換気扇用電子スイッチ回路」は「負荷回路用電子スイッチ回路」に、「第２のプリント配線板（６２）」は「第２の配線基板」に、「タイマ動作スイッチ（ＳＷ２）」は「第二スイッチ」に、そして、「制御回路（１）」は「タイマ動作回路要素」にそれぞれ相当する。
　さらに、引用発明１の「可変抵抗器（ＶＲ１）」と本願補正発明の「第一スイッチ」とは、「タイマ動作時間を設定する回路素子」の限りで一致する。
　したがって、本願補正発明と引用発明との一致点、相違点は次のとおりである。
〈一致点〉
「上端が開放されるとともに底面に電線挿入孔を備えた箱状のボディ及びボディの開放端に覆合されるカバーからなるケースと；
　ケースの上面に配設され、複数のタイマ動作時間から任意のタイマ動作時間を選択する第１操作部と；
　ケースの上面に配設され、タイマ動作を開始させる第２操作部と；
　ボディに装着された第１の配線基板、第１の配線基板に実装された主としてパワー系回路素子など及びケースの電線挿入孔に対向する端子金具を含む負荷回路用電子スイッチ回路と；
　第１の配線基板の上方に固定されて配置された第２の配線基板、この第２の配線基板の上面に実装されて第２操作部に連動する第二スイッチ、並びに第２の配線基板の下面に実装されてタイマ動作時間を設定する回路素子及び第二スイッチに応じて所要のタイマ動作を行うタイマ動作回路要素などを含んで構成されて負荷回路用電子スイッチ回路のオン、オフ動作をタイマ制御し、かつ、第二スイッチは押し釦スイッチからなるタイマ制御回路と；
を具備しているタイマ装置。」
〈相違点１〉
　本願補正発明のカバーは、「フラッシュプレートの窓孔から露出するための突出した部分であり、内部が中空のボス部」を備え、「第２の配線基板」が「カバーのボス部内に第１の配線基板の上方に離間した状態であって、カバーの前面側と間隔を有するように固定されて配置」されているのに対して、引用発明１のカバーは、このようなボス部を備えておらず、「第２のプリント配線板（６２）」が「カバー（１７）に固定され、第１のプリント配線板（６１）の上方に配置」されている点。
〈相違点２〉
　本願補正発明のケースは、「短方向の外形寸法が規格化された取付枠の細長い取付孔の長手方向のほぼ１／３」であるのに対して、引用発明１の「器体（１０）」は、「外形寸法が単位寸法の配線器具の３個分に相当する取付枠」に取り付けられるものである点。
〈相違点３〉
　第１の配線基板に関して、本願補正発明においては、「主としてパワー系回路素子など」が「第１の配線基板の下面」に実装されているのに対して、引用発明１においては、「トライアック（Ｑ１１、Ｑ１２）」が「第１のプリント配線板（６１）の上面」に実装されている点。
〈相違点４〉
　タイマ動作時間を設定する回路素子に関して、本願補正発明においては、「切換スイッチからなる第一スイッチ」であり、「第２の配線基板の上面に配設されて第１操作部に連動」し、「その直線的な変位がカバーの長手方向と平行になるように配置されるとともに第２の配線基板の長手方向の一側部と第二スイッチとの間に位置」しているのに対して、引用発明１においては、「操作つまみ（１２）に連動する可変抵抗器（ＶＲ１）」であり、「第１のプリント配線板（６１）」に実装されて、「その直線的な変位がカバー（１７）の幅方向と平行になるように配置」されている点。
〈相違点５〉
　タイマ動作回路要素に関して、本願補正発明においては、「相対的に低い電圧で作動する」ものであるのに対して、引用発明１においては、制御回路（１）が相対的に低い電圧で作動するものであるのか否か明確ではない点。
　（４）相違点について検討及び判断
　当業者からみて、引用発明１においても、器体（１０）内において、第１のプリント配線板（６１）と第２のプリント配線板（６２）を重ねて配置することにより、規格化された寸法内に所定の機能を有するタイマ装置を収納しようとする技術的思想が示唆されていることは明白であり、規格化された寸法内にタイマ装置に加え、他の配線器具を取り付ける必要がある場合などにおいて、その縦方向の外形寸法を所要の範囲に収めること、そして、そのために、奥行き方向への収納を検討したり、タイマ装置に与える機能を取捨選択したり、さらには、回路素子等の実装にあたり、コンパクトな回路素子を選定したり、それらの配置にさまざまな工夫を加えることは、当業者が当然に考慮すべき技術的課題であると解される。
　この点を踏まえた上で、上記した本願補正発明と引用発明１との相違点１〜５について検討する。
　（４−１）相違点１について
〈相違点１〉
　引用発明１において、配線器具の器体を構成するカバーとして、引用発明３に示されるような、組み立て枠から露出するための突出した部分であり、内部が中空のボス部を備えたカバーを採用し、化粧プレート（４５）や化粧枠（４５）、すなわちフラッシュプレートから露出させるようすることは、当業者が容易に想到し得ることである。
　そして、このようなカバーを採用した場合において、第１のプリント配線板（６１）の前方、すなわちカバー側に位置する第２のプリント配線板（６２）をカバーのボス部内に、第１のプリント配線板（６１）の前方に離間した状態であって、カバーの前面側と間隔を有するように固定されて配置することにより、本願補正発明の相違点１に係る事項とすることは、各プリント配線板（６１）の配置を検討するにあたり、当業者が容易に想到し、かつ採用し得ることである。
　（４−２）相違点２について
　引用発明１においては、器体（１０）は、規格化された単位寸法の配線器具の３個分に相当する取付枠に取り付けられるものであるが、このような取付枠にタイマ装置に加え、所望の機能を有する他の配線器具を取り付けるにあたり、取り付けるべき他の配線器具の搭載を考慮して、タイマ装置に求められる機能を取捨選択することなどにより、タイマ装置の占める単位寸法を小さくすることは、当業者が適宜考慮すべき設計的事項と解されるところ、引用文献３には、外径寸法が１個用モジュールの寸法で形成された器体内にタイマブロックを収容し、同じ取付枠に他の配線器具と併設することが可能となるという技術思想（引用文献３の記載事項（ｂ）参照）が示されている。
　してみれば、引用発明１における器体（１０）の外径寸法を１個用モジュールの寸法、すなわち短方向の外形寸法が規格化された取付枠の細長い取付孔の長手方向のほぼ１／３として、本願補正発明の相違点２に係る事項とすることは、当業者が容易に想到し、かつ採用し得ることである。
　（４−３）相違点３について
　引用発明１において、トライアック（Ｑ１１、Ｑ１２）を第１のプリント配線板（６１）のいずれの面に取り付けるかは、当業者が、配線板への回路要素の実装にあたり、他の素子等との相対位置などを考慮することにより適宜選択し得ることである。
　（４−４）相違点４について
　引用発明１において、タイマ動作時間を設定する回路素子として、可変抵抗器（ＶＲ１）に代えて、周知の切換スイッチを採用したり、また、各回路素子を第１のプリント配線板（６１）、第２のプリント配線板（６２）のいずれに実装するかを選択し、選択した配線板に各回路素子をどのように配置するかを設計することは、当業者が、各配線板への回路素子の実装にあたり、操作性や他の素子等との相対位置などを考慮することにより適宜なし得ることである。
　したがって、引用発明１における可変抵抗器（ＶＲ１）を切換スイッチとし、第２のプリント配線板（６２）の一側部において、タイマ動作スイッチ（ＳＷ２）との間に配置することにより、本願補正発明の相違点４に係る事項とすることは、当業者が容易に想到し、かつ採用し得ることである。
　（４−５）相違点５について
　引用発明１の「制御回路（１）」は、専用のマイクロコンピュータからなるものであり（引用文献１）の記載事項（ａ）【００１８】参照）、通常の技術常識に照らして、トライアック（Ｑ１１、Ｑ１２）と比較して、相対的に低い電圧で作動する集積回路等の回路素子であると解され、相違点５は実質的な相違点であるとはいえない。
　そうでなくても、引用発明１における第２の配線基板（６２）に、相対的に低い電圧で作動する回路要素を実装することにより、本願補正発明の相違点５に係る事項とすることは、引用発明２に基いて当業者が容易に想到し、かつ採用し得ることである。
　（５）本願補正発明の独立特許要件についてのむすび
　本願補正発明は、全体構成でみても、引用発明１〜引用発明３から予測できる作用効果以上の顕著な作用効果を奏するものではない。
　よって、本願補正発明は、引用発明１〜引用発明３に基いて当業者が容易に発明をすることができたものであるから、特許法第２９条第２項の規定により、特許出願の際独立して特許を受けることができないものである。
　４．むすび
　以上のとおり、本件補正は、特許法第１７条の２第５項において準用する同法第１２６条第５項の規定に違反するので、特許法第１５９条第１項の規定において読み替えて準用する同法第５３条第１項の規定により却下すべきものである。
第３　本願発明を拒絶する理由
　１．本願発明
　平成１７年５月３０日付けの手続補正は上記のとおり却下され、また平成１６年１２月８日付けの手続補正も却下されているので、本願の請求項１に係る発明（以下、「本願発明」という。）は、平成１６年３月５日付けの手続補正により補正された明細書及び図面の記載からみて、その請求項１に記載された次の事項により特定されるとおりのものと認める。
「請求項１】上端が開放されるとともに底面に電線挿入孔を備えた箱状のボディおよびボディの開放端に覆合されるカバーからなり、短方向の外形寸法が規格化された取付枠の細長い取付孔の長手方向のほぼ１／３であるケースと；
　ケースの上面に配設され、複数のタイマ動作時間から任意のタイマ動作時間を選択する第１操作部と；
　ケースの上面に配設され、タイマ動作を開始させる第２操作部と；
　ボディに装着された第１の配線基板、第１の配線基板の下面に実装された主としてパワー系回路素子などおよびケースの電線挿入孔に対向する端子金具を含む負荷回路用電子スイッチ回路と；
　第１の配線基板の上方に離間して配置された第２の配線基板、この第２の配線基板の上面に配設されて第１操作部に連動する第一スイッチ、第２の配線基板の上面に実装されて第２操作部に連動する第二スイッチ、ならびに第２の配線基板の下面に実装されて第一スイッチおよび第二スイッチに応じて所要のタイマ動作を行う相対的に低い電圧で作動するタイマ動作回路要素などを含んで構成されて負荷回路用電子スイッチ回路のオン、オフ動作をタイマ制御し、かつ、第一スイッチは切換スイッチからなり、その直線的な変位がカバーの長手方向と平行になるように配置されるとともに第２の配線基板の長手方向の一側部と第二スイッチとの間に位置し、第二スイッチは押し釦スイッチからなるタイマ制御回路と；
を具備していることを特徴とするタイマ装置。」
　２．拒絶査定の理由の概要
　拒絶査定の理由の概要は、上記第１、４の拒絶理由通知書及び同７の拒絶査定書からみて、概略、次のようなものである。
「この出願の請求項１、２に係る発明は、その出願前日本国内において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　　　記
　１．特開平７−２９６６９４号公報
　２．実願昭５８−１００７５０号（実開昭６０−９４２５号）のマイクロフィルム
　３．特開平８−２２７６４４号公報
　４．実願昭５６−１５５３１５号（実開昭５８−６０８３５号）のマイクロフィルム
　５．特開昭５９−５５３１号公報」
　３．引用文献
　拒絶査定の理由に引用された特開平７−２９６６９４号公報（引用文献１）、実願昭５８−１００７５０号（実開昭６０−９４２５号）のマイクロフィルム（引用文献２）及び特開平８−２２７６４４号公報（引用文献３）の記載事項は、前記第２の【理由】３．（２）に記載したとおりである。
　４．対比・判断
　本願発明は、本願補正発明を特定する事項から、「（ケースの）カバー」が「フラッシュプレートの窓孔から露出するための突出した部分であり、内部が中空のボス部」を備えている点、及びこの「ボス部」内に「第２の配線基板」が「第１の配線基板の上方に離間した状態であって、カバーの前面側と間隔を有するように固定されて配置」されている点等を省いたものに相当する。
　そうすると、本願発明の発明を特定する事項をすべて含み、さらに他の事項を付加したものに相当する本願補正発明が、上記第２の【理由】３．に示したとおり、引用発明１〜３に基いて当業者が容易に発明をすることができたものであるから、本願発明も同様の理由により、引用発明１〜３に基いて当業者が容易に発明をすることができたものである。
　５．むすび
　以上のとおり、本願発明は、当業者がその出願前に日本国内において頒布された刊行物に記載された発明に基いて容易に発明をすることができたものであるから、特許法第２９条第２項の規定により特許を受けることができない。
　よって、結論のとおり審決する。